(57)【特許請求の範囲】
【請求項１】
冷房運転時に凝縮器、暖房運転時に蒸発器となる室外熱交換器と、圧縮機と、冷媒を減圧する減圧装置と、前記室外熱交換器に送風する室外送風機とを備えた室外機と、冷房運転時に蒸発器、暖房運転時に凝縮器となる室内熱交換器と、前記室内熱交換器に送風する室内送風機とを備えた室内機とを有する空気調和機において、
前記室内機は
目標蒸発器出口過熱度、目標蒸発器吸入過熱度および目標凝縮器過冷却度の少なくとも１つを含む機種別目標値をその室内機で使用可能な冷媒の種別毎にあらかじめ記憶した記憶手段と、
前記記憶手段に記憶された前記冷媒の種類に応じた前記機種別目標値を前記室外機に送信する送信手段と
を有し、
前記室外機は、
前記室内熱交換器、前記圧縮機および前記室外熱交換器の冷媒温度から蒸発器出口過熱度、蒸発器吸入過熱度および凝縮器過冷却度の少なくとも１つを算出すると共に、算出した値と前記室内機より送信された前記冷媒の種類に応じた前記機種別目標値とに基づいて、前記室外送風機の回転数、前記室内送風機の回転数、および前記圧縮機の回転数の少なくとも１つを制御する演算・制御手段
を有していることを特徴とする空気調和機。
【発明の詳細な説明】
【０００１】
【発明の属する技術分野】
本発明は室内機と室外機を有するスプリットタイプの空気調和機に関するものである。
【０００２】
【従来の技術】
図８は、特開平１０−８９７８０号公報に記載された従来の圧縮機と凝縮器とを有する冷凍サイクル装置での制御フローであり、冷凍サイクルの状態特性値（圧縮機吸入冷媒過熱度と凝縮器出口冷媒過冷却度）をシステムの運転効率が最もよくなるように制御する方法が開示されている。
【０００３】
【発明が解決しようとする課題】
空気調和機には、一つの室外機に多種類の室内機が接続できる業務用空調機等があり、これでは、設置する空間、用途等により室外機に任意の機種の室内機が接続できる。例えば、床置き型で縦長の熱交プロペラファンや天吊り型で横長の熱交シロッコファン、４方向カセットで正方形の熱交ターボファン等である。しかし、これらの室内機では熱交換器の内容積や伝熱性能が異なるので、従来の方法のように、常に同じに制御することは出来ないという問題があった。例えば、熱交シロッコファンに最適に制御できるように設定したとしても、接続される室内機が熱交ターボファンの場合には、最適な制御がされない。
【０００４】
また、現在は、地球環境問題が社会的にクローズアップされるようになり、空気調和機では、従来使用してきたＨＣＦＣ冷媒が地球環境保護の規制の対象となったので、オゾン層を破壊しないＨＦＣ冷媒、ＨＣ冷媒等の代替冷媒へと転換させていく過渡期となっている。このような状況で、各冷媒毎に異なる室内機を使用する事は、例えば、冷媒１に専用の室内機、冷媒２に専用の室内機を用意することは、部品の共用化が出来ず、室内機の管理も混乱するので、１つの室内機に複数の冷媒を使用できるするようにすることが一般に行なわれる。
【０００５】
しかし、この場合、例えば、同じ種類の室内機に冷媒１を使用したり冷媒２を使用したりすると、従来の方法では、室内機がどの種類の冷媒を使用する場合でも同じ様に制御されることになるので、冷媒の熱的物性の違いにより能力が得る事が出来なかったり、運転効率が悪くなったり、室内熱交換器内で冷媒の圧力損失を押さえるために分流を行っていると露付き特性が悪化する等の問題が発生する事があった。
【０００６】
この発明は、上述の問題点を解決するためになされたものであり、第１の目的は、室外機が接続された室内機の種類と現状を認識し、それに応じた最適な運転をさせることができる空気調和機を提供することである。
また、第２の目的は、室外機が接続された室内機で使用されている冷媒を認識し、それに応じた最適な運転をさせることができる空気調和機を提供することである。
【０００７】
【課題を解決するための手段】
【０００８】
また、この発明にかかる室内機と室外機とを有する空気調和機では、室内機は、目標蒸発器出口過熱度、目標蒸発器吸入過熱度および目標凝縮器過冷却度の少なくとも１つを含む機種別目標値をその室内機で使用可能な冷媒の種別毎にあらかじめ記憶した記憶手段と、この記憶手段に記憶された機種別目標値を前記室外機に送信する送信手段とを有し、室外機は、室内熱交換器、圧縮機および室外熱交換器の冷媒温度から蒸発器出口過熱度、蒸発器吸入過熱度および凝縮器過冷却度の少なくとも１つを算出すると共に、算出した値と室内機より送信された冷媒の種類に応じた機種別目標値とに基づいて、室外送風機の回転数、室内送風機の回転数、および圧縮機の回転数の少なくとも１つを制御する演算・制御手段とを有しているものとした。
【００１０】
【発明の実施の形態】
実施の形態１．
図１はこの発明の実施の形態１における空気調和機である冷媒圧縮式冷凍システム装置の構成を示すブロック図である。
図１中、１は室内機、１０は室内機１が接続された室外機である。
室内機１は、室内周囲空気と冷房運転時低温の冷媒を熱交換する、冷房運転時には蒸発器に相当する室内熱交換器２と、室内周囲空気を室内熱交換器２内に吸込み、熱交換を促進させる室内送風機３と、冷房運転時に室内熱交換器２に入る冷媒の温度を検出できる第１の室内冷媒温度検出器４と、室内熱交換器２の中間部分での冷媒の温度を検出できる第２の室内冷媒温度検出器５と、室内熱交換器２から出る冷媒の温度を検出できる第３の室内冷媒温度検出器６と、室内制御装置７とから主に構成されている。
【００１１】
また、室外機１０は、冷媒を高圧ガス冷媒に圧縮し循環させる圧縮機１１と、、冷房運転と暖房運転の際の冷媒の流れ方向を切り替える四方弁１２と、冷房運転時に高温の冷媒と室外周囲空気を熱交換する凝縮器に相当する室外熱交換器１３と、室外周囲空気を室外熱交換器１３に吸込み熱交換を促進させる室外送風機１４と、圧縮機１１への吸入に気液混合冷媒が混入した際に、気液分離し液体を貯溜するアキュムレータとエキラインに余剰冷媒を溜める事ができるレシーバタンクを一体にした容器であるアキュムレシーバ１５と、冷媒を膨張させる膨張機構で絞り量の調整ができる第１の電子式膨張弁１６と、第２の電子式膨張弁１７と、冷房運転時に圧縮機１１の吸込部分の冷媒の温度を検出できる第１の室外冷媒温度検出器１８と、圧縮機１１の吹出部分の冷媒温度を検出できる第２の室外冷媒温度検出器１９と、室外熱交換器１３に入る冷媒の温度が検出できる第３の室外冷媒温度検出器２０と、室外熱交換器１３の中間部分での冷媒の温度が検出できる第４の室外冷媒温度検出器２１と、室外熱交換器１３から出る冷媒の温度が検出できる第５の室外冷媒温度検出器２２と、室外制御装置２３とから主に構成されている。また、２４は室内制御装置７と室外制御装置２３とを接続し、室内制御装置７の保持する情報と室外制御装置２３の保持する情報の伝送をリアルタイムで行うことができる通信手段である。
【００１２】
次に、図１の室内制御装置７および室外制御装置２３の詳細構成につき、図２の構成図に基づいて説明する。
室内制御装置７は、室内演算制御手段３０と室内記憶手段３１とから主に構成され、室内記憶手段３１には、室内機１の種別が識別できる室内機種別情報を保持している。
【００１３】
また、室内演算制御手段３０は、第１の室内冷媒温度検出器４、第２の室内冷媒温度検出器５、第３の室内冷媒温度検出器６より室内熱交換器２の各部における温度情報を検出し、この検出した温度情報を電気信号に変換し、室内記憶手段３１にある室内機種別情報とともに通信手段２４を通して室外制御装置２３に送信することができる。さらに、室内演算制御手段３０は、室内送風機３の回転数の制御もできる。
【００１４】
室外制御装置２３は、室外演算制御手段４０と、室外記憶手段４１と、タイマー４２とを有している。室外演算制御手段４０は、第１の室外冷媒温度検出器１８から第５の室外冷媒温度検出器２２までの各室外冷媒温度検出器より、室外熱交換器１３および圧縮機１１の各部における温度情報を得ることができる。
【００１５】
また、室外記憶手段４１には、接続可能な室内機の機種に対して、運転が最適となるような目標蒸発器吸入過熱度、目標凝縮器出口過冷却度を含む機種別目標値があらかじめ記憶されている。なお、蒸発器吸入過熱度は、冷房運転の場合には、第２の室外冷媒温度検出器１９での冷媒温度（圧縮機１１の吹出部分の冷媒温度）と第２の室内冷媒温度検出器５での温度（室内熱交換器２の中間部分での冷媒の温度）との差であり、凝縮器出口冷媒過冷却度は、第４の室外冷媒温度検出器２１での温度（室外熱交換器１３の中間部分での冷媒の温度）と第３の室外冷媒温度検出器２０での温度（室外熱交換器１３に入る冷媒の温度）との差である。
【００１６】
なお、暖房運転の場合には、冷媒が逆にながれ、室内熱交換器が凝縮器、室外熱交換器が蒸発器となり、蒸発器吸入過熱度は、第２の室外冷媒温度検出器１６での温度（圧縮機１１の吹出部分の冷媒温度となる）と第４の室外冷媒温度検出器２１での温度（室外熱交換器１３の中間部分での冷媒の温度）との差であり、凝縮器出口冷媒過冷却度は、第２の室内冷媒温度検出器５での温度（室内熱交換器２の中間部分での冷媒の温度）と第１の室内冷媒温度検出器４での温度（室内熱交換樹器５に入る冷媒の温度となる）との差である。
さらに、目標蒸発器吸入過熱度、目標凝縮器出口過冷却度は、予め試験したり、計算したりすることで決定される。
【００１７】
さらに、室外演算制御手段４０は、室内制御装置７から送信されてきた室内機種別情報を元に、接続した室内機における目標蒸発器吸入過熱度、目標凝縮器出口過冷却度の情報を室外記憶手段４１より抽出し、第１の室外冷媒温度検出器１８から第５の室外冷媒温度検出器２２までの各室外温度検出器により得られる温度情報、および室内制御装置７より送られてくる各部での室内冷媒温度の情報をもとにして、現在の蒸発器吸入過熱度、凝縮器出口過冷却度を算出し、抽出した目標値との差異から、圧縮機１１、室外送風機１４、第１の電子式膨張弁１６、第２の電子式膨張弁１７、四方弁１２等のアクチュエータ等をコントロールし、さらに、室内送風機３の回転数を変更する必要がある場合には、通信手段２４を用いて室内制御装置７に回転数の変更司令信号を送信することができる。
【００１８】
なお、圧縮機１１のアクチュエータは凝縮温度調整や蒸発温度調整、室外送風機１４のアクチュエータは凝縮温度調整、第１の電子式膨張弁１６のアクチュエータは凝縮器過冷却度制御、第２の電子式膨張弁１７のアクチュエータは吸入過熱度・蒸発器出口加熱度・吐出ガス過熱度の制御、四方弁１２のアクチュエータは霜取り制御を主に行っている。
【００１９】
なお、図２では、室内機１の種別をＡとして、その際の目標蒸発器吸入過熱度は５〜６ｄｅｇ、目標凝縮機出口過冷却度は７〜９ｄｅｇとしている。仮に、室内機の種別がＢの場合には、目標蒸発器吸入過熱度は７〜９ｄｅｇ、目標凝縮機出口過冷却度は４〜５ｄｅｇとするといったように室内機の種類に合わせて目標の蒸発器吸入過熱度および凝縮機出口過冷却度を変更させる事が可能である。
【００２０】
次に、この冷媒圧縮式冷凍システム装置での、制御方法の一例について、図３のフローチャートに基づいて説明する。なお、ここでは冷房運転を想定している。
まず、室外制御装置２３は、タイマー４２を用いて、一定時間が経過したか否かをチェックする（ステップ（以下「Ｓ」とする）１）。これは、運転が開始された直後では、冷媒系がある程度安定する為の時間が必要であり、その後は定期的なチェックを可能とするためである。Ｓ１で、一定時間経過したと判断した場合には、室外演算制御手段４０は、室内制御装置７から送られた第２の室内冷媒温度検出器５の温度情報、および第２の室外冷媒温度検出器１９の温度情報を受信して温度差を求め、蒸発器吸入過熱度を算出する（Ｓ２）。また、第３の室外冷媒温度検出器２０および第４の室外冷媒温度検出器２１より温度情報を受信し、温度差を用いて凝縮器出口過冷却度を算出する（Ｓ３）。
【００２１】
次に、室内制御装置７から送られた室内機識別情報を元に、室外記憶手段４１から、その室内機識別情報に対応した目標蒸発器吸入過熱度を抽出し、Ｓ２で得られた蒸発器吸入過熱度が目標蒸発器吸入過熱度の範囲内に入っているかどうかを判定し（Ｓ４）、範囲から外れている場合には、第２の電子式膨張弁１７の絞り度を変化させる事により制御目標範囲内になるように制御する（Ｓ５）。
【００２２】
例えば、室内機１は機種Ａであるから、目標蒸発器吸入過熱度は４〜６ｄｅｇとなり、Ｓ２で算出された蒸発器吸入過熱度が８ｄｅｇであった場合には、第２の電子式膨張弁１７を開くことにより、吸入に供給される液冷媒量を増やし、吸入ガスの過熱度を低下させる。なお、この開度は、目標値との偏差（８−６＝２ｄｅｇ）に応じて決定される。また逆に、蒸発器吸入過熱度が１ｄｅｇであった場合には、第２の電子式膨張弁１７の開度を閉めることにより、蒸発器に流入する冷媒量を下げ、蒸発器吸入過熱度を上げる制御を行う。
【００２３】
Ｓ４で、目標範囲内にあるとされた場合、およびＳ５を実行した後に、凝縮器出口過冷却度についても室内機より得られた室内機識別情報を元に室外記憶手段４１から機種に対応した目標凝縮器出口過冷却度を抽出し、Ｓ３で算出された凝縮器出口過冷却度が目標凝縮器出口過冷却度の範囲内に入っているかどうか判定し（Ｓ６）、範囲から外れている場合には、第１の電子式膨張弁１６の絞り度を変化させる事により制御目標範囲内になるように制御する（Ｓ７）。
【００２４】
すなはち、凝縮器出口過冷却度が目標凝縮器出口過冷却度より大きい場合には、第１の電子式膨張弁１６を開き凝縮器へ流入する冷媒量を増やす事で過冷却度を下げる。逆に、目標凝縮器出口過冷却度より小さい場合には、第１の電子式膨張弁１６を閉め、凝縮器へ流入する冷媒量を減らす事により凝縮器出口過冷却度を上げる。
【００２５】
その後、冷房運転が継続して行なわれているかをチェックし（Ｓ８）、運転中の場合には、再度、Ｓ１以降を実施する。
このようにすることで、蒸発器吸入過熱度、凝縮器出口過冷却度の目標値を室内機の種類に応じて変えて制御でき、機種の相違に関係なく、１つの室外機に接続する全ての種類の室内機に対して、最も効率よく運転させることができる。
なお、図３のフローチャートでは、Ｓ５、Ｓ７で電子式膨張弁の開度を変える事で、蒸発器吸入過熱度、凝縮器出口過冷却度を調整したが、圧縮機１１、室外送風機１４、四方弁１２を制御して、目標過熱度、目標過冷却度の範囲になるように制御してもよい。
また、蒸発器吸入過熱度の代わりに、蒸発器出口過熱度で制御してもよい。なお、蒸発器出口過熱度は、冷房運転時には、第３の室内冷媒温度検出器６での温度（室内熱交換器２から出る冷媒の温度）と第２の室内冷媒温度検出器５での温度（室内熱交換器２の中間部分での冷媒の温度）の差、暖房運転時には、第５の室外冷媒温度検出器２２での温度（室外熱交換器１３から出る冷媒の温度となる）と第４の室外冷媒温度検出器２１での温度（室外熱交換器１３の中間部分での冷媒の温度）の差となる。
【００２６】
さらに、この実施の形態では、アキュムレータとレシーバを一体型にして吸入ガスと中圧気液二相混合冷媒を熱交換させているので、吸入過熱度をある一定値に制御する事により、蒸発器出口を気液二相状態に持ち込む事ができ、室内機が多パスからなるような熱交換器を使用している場合でも制御を簡略化する事ができる。
【００２７】
実施の形態２．
図４は、この発明の実施の形態２における室内制御装置および室外制御装置の詳細構成を示す構成図であり、図２において、室外記憶手段が有していた各室内器の目標蒸発器吸入過熱度および目標凝縮器出口過冷却度を各室内器の室内記憶手段に記憶させるようにしたものである。なお、図４において、図１および図２と同一および相当する構成部分に関しては同一の符号を付す。
【００２８】
図４中、３１ａは室内機１の室内記憶手段であり、この室内機の目標蒸発器吸入過熱度および目標凝縮器出口過冷却度を有している。また、室内演算制御手段３０ａは、検出した各室内冷媒温度検出器での温度を電気信号に変換し、室内記憶手段３１ａにある目標蒸発器吸入過熱度および目標凝縮器出口過冷却度の情報とともに通信手段２４を通して室外制御装置２３に送信することができる。さらに、室外演算制御手段４０ａでは、室内制御装置７から送信されてきた目標蒸発器吸入過熱度および目標凝縮器出口過冷却度の情報と、第１の室外冷媒温度検出器１８から第５の室外冷媒温度検出器２２までの各室外温度検出器により得られる温度情報および室内制御装置７より送られてくる室内冷媒温度情報を元に現在の蒸発器吸入加熱度、凝縮器出口過冷却度を算出し目標蒸発器吸入過熱度および目標凝縮器出口過冷却度との差異から、圧縮機１１、室外送風機１４、第１の電子式膨張弁１６、第２の電子式膨張弁１７、四方弁１２等のアクチュエータ等をコントロールし、室内送風機３の回転数を変更する必要がある場合は、通信手段２４を用いて室内制御装置７に回転数の変更司令信号を送信する。
【００２９】
このような構成では、図３のＳ５およびＳ７で、室内制御装置７から送られた目標蒸発器吸入過熱度および目標凝縮器出口過冷却度を用いて、蒸発器吸入過熱度および凝縮器出口過冷却度が制御目標範囲内に入っているかどうかを判定することになる。
【００３０】
このように、各室内機の目標蒸発器吸入過熱度および目標凝縮器出口過冷却度を室外機に持たせるのではなく、室内機に持たせるようにすることで、新しく追加可能な室内機の機種が増えたとしても、その度毎に室外機の室外記憶手段の修正が必要なくなり、室内機の種類の変更が容易にできる。
【００３１】
実施の形態３．
図５は、この発明の実施の形態３における室内制御装置および室外制御装置の詳細構成を示す構成図であり、図４において、冷媒毎の目標蒸発器吸入過熱度および目標凝縮器出口過冷却度を各室内器の室内記憶手段に記憶させるようにしたものである。なお、図５において、図１および図４と同一および相当する構成部分に関しては同一の符号を付す。
【００３２】
現在、空気調和機の多くは室外機に予め冷媒を充填しておくプレチャージ方式が取られている為、室外機は冷媒の種類毎に分ける必要があるが、室内機については、共通化させる事も可能である。従って、この実施の形態では、一つの室内機を冷媒アと冷媒イの２種類の冷媒を使用可能とするケースを考えている。
【００３３】
図５中、３１ｂは室内機１の室内記憶手段であり、この室内機１で使用できる冷媒毎の、すなはち冷媒アの目標蒸発器吸入過熱度および目標凝縮器出口過冷却度と冷媒イの目標蒸発器吸入過熱度および目標凝縮器出口過冷却度とを有している。また、室内演算制御手段３０ｂは、検出した各室内冷媒温度検出器での温度を電気信号に変換し、室内記憶手段３１ｂにある２つの目標蒸発器吸入過熱度および目標凝縮器出口過冷却度の情報とともに通信手段２４を通して室外制御装置２３に送信することができる。さらに、室外演算制御手段４０ｂでは、室内制御装置７から送信されてきた目標蒸発器吸入過熱度および目標凝縮器出口過冷却度の情報のうち、室外記憶手段４１ｂに記憶された冷媒情報に対応する目標蒸発器吸入過熱度および目標凝縮器出口過冷却度と、第１の室外冷媒温度検出器１８から第５の室外冷媒温度検出器２２までの各室外温度検出器により得られる温度情報および室内制御装置７より送られてくる温度情報を元に算出した現在の蒸発器吸入過熱度、凝縮器出口過冷却度との差異から、圧縮機１１、室外送風機１４、第１の電子式膨張弁１６、第２の電子式膨張弁１７、四方弁１２等のアクチュエータ等をコントロールし、室内送風機３の回転数を変更する必要がある場合は、通信手段２４を用いて室内制御装置７に回転数の変更司令信号を送信する。
【００３４】
このような構成では、図３のＳ５およびＳ７で、室外記憶手段４１ｂに記憶されている冷媒情報がアであるから、室内制御装置７から送られた冷媒アの目標蒸発器吸入過熱度および目標凝縮器出口過冷却度と冷媒イの目標蒸発器吸入過熱度および目標凝縮器出口過冷却度のうち、冷媒アの方のみ用いて、蒸発器吸入過熱度および凝縮器出口過冷却度が制御目標範囲内に入っているかどうかを判定することになる。
【００３５】
次に、制御目標値の設定の仕方について説明する。
図６は、室内熱交換器の内容積が大きい場合の凝縮器出口過冷却度と、性能の関係を示す。室内熱交換器の内容積が大きい場合には、プレチャージで冷媒量が限られた空気調和機では、凝縮器出口過冷却度を大きくとると、余剰冷媒量が無くなり、吸入冷媒過熱度の制御が不能となり能力が低下してしまう。従って、凝縮器出口過冷却度を小さめに制御する事により、ある一定能力の確保が可能となる。また、そうする事により熱交換器内容積の異なる室内機を接続する際に、冷媒チャージ量を削減する事が出来る。
【００３６】
図７は、室内熱交換器能力大小による制御目標値の設定の仕方を示す図である。冷媒不足等の問題がなければ、凝縮器出口過冷却度を大きくとると能力は上がり、エネルギー消費効率（ＣＯＰ）はやや下がる。この下がり方は冷媒の特性によっても異なる。一方蒸発器出口過熱度を大きくとるとエネルギー消費効率（ＣＯＰ）は上がり、能力は低下する。この特性も冷媒の種類によって多少異なるケースがある。したがって、室内熱交換器能力が大きい場合には、目標過冷却度を小さめにし、目標過熱度を大きめにする事によりよりエネルギー消費効率（ＣＯＰ）の良い運転が可能となる。
【００３７】
このように、冷媒の種類に応じた凝縮器出口過冷却度、蒸発器吸入過熱度等の制御目標値を持たせることにより、室内機を共有化させた上で、その室内機で使用される冷媒に最適なポイントに制御する事が可能となる。
さらに、室内熱交換器の大小にて凝縮器出口過冷却度、蒸発器吸入過熱度等の目標値を変化させる事が可能な為、系内に必要とする冷媒量差を小さくする事が出来、予め室外機に冷媒を入れておくプレチャージ冷媒量を少なくする事が可能となる。
【００３８】
【発明の効果】
このように、この発明は上述のような構成にしたので、各室内機の機種や、そこで使用される冷媒の性質によって、木目細かい制御が可能となり、空気調和機装置全体で最も運転効率が良いポイントで運転することができる。
【図面の簡単な説明】
【図１】  この発明の第１から３実施例の冷凍システム装置図。
【図２】  第１実施例における制御装置の構成図
【図３】  通常制御装置で行う制御フロー図
【図４】  第２実施例における制御装置の構成図
【図５】  第３実施例における制御装置の構成図
【図６】  制御目標値の設定例を示す図１
【図７】  制御目標値の設定例を示す図２
【図８】  従来例図
【符号の説明】
１  室内機、  ２  室内熱交換器、  ３  室内送風機、
４  第１の室内冷媒温度検出器、  ５  第２の室内冷媒温度検出器、
６  第３の室内冷媒温度検出器、  ７  室内制御装置、
１０  室外機、  １１  圧縮機、  １２  四方弁、  １３  室外熱交換器、
１４  室外送風機、  １５  アキュムレシーバ、
１６  第１の電子式膨張弁、  １７  第２の電子式膨張弁、
１８  第１の室外冷媒温度検出器、  １９  第２の室外冷媒温度検出器、
２０  第３の室外冷媒温度検出器、  ２１  第４の室外冷媒温度検出器、
２２  第５の室外冷媒温度検出器、  ２３  室外制御装置、
２４  通信手段、  ３０、３０ａ、３０ｂ  室内演算制御手段、
３１、３１ａ、３１ｂ  室内記憶手段、
４０、４０ａ、４０ｂ  室外演算制御手段、
４１、４１ａ、４１ｂ  室外記憶手段、  ４２  タイマー
【図１】
0003719366.tif 000002
【図２】
0003719366.tif 000003
【図３】
0003719366.tif 000004
【図４】
0003719366.tif 000005
【図５】
0003719366.tif 000006
【図６】
0003719366.tif 000007
【図７】
0003719366.tif 000008
【図８】
0003719366.tif 000009